(57)【要約】【目的】医療や福祉に関し充分な情報を迅速に得ることが出来るようにしようとするものである。【構成】医院や病院１０，歯科医院２０，在宅医療訪問看護３０，デイケア４０，介護保険サービス５０，薬局６０，障害者通所作業所７０，心理カウンセリング８０，鍼灸整体接骨院９０，の各サイトを表示するプログラムを備えた通信網４用データベース３と，該データベース３のプログラムを変更する入力装置１を備えたメインコンピュータ２と，通信網４との間でデータの遺り取りをする多数の端末コンピュータ５から構成されている。【選択図】　　　　　　　図１
2004127152.tif 000002
【特許請求の範囲】
【請求項１】
スタートページで医院や病院（１０），歯科医院（２０），在宅医療訪問看護（３０），デイケア（４０），介護保険サービス（５０），薬局（６０），障害者通所作業所（７０），心理カウンセリング（８０），鍼灸整体接骨院（９０），の各サイトを表示するプログラムを備えた通信網（４）用データベース（３）と，該データベース（３）のプログラムを変更する入力装置（１）を備えたメインコンピュータ（２）と，通信網（４）との間でデータの遣り取りをする多数の端末コンピュータ（５）から成る医療福祉情報サービスシステム。
【請求項２】
医院や病院（１０）の下位サイトに診療科（１１），専門領域（１２）、健康診断人間ドッグを実施している医療機関（１３），癌検診を実施している医療機関（１４）をサイト表示してなる請求項１記載の医療福祉情報サービスシステム。
【請求項３】
診療科（１１）の下位サイトに，内科（１１−０１），心療内科（１１−０２），精神科（１１−０３），神経科神経内科（１１−０４），呼吸器科（１１−０５），消化器科胃腸科（１１−０６），循環器科（１１−０７），アレルギー科（１１−０８），リウマチ科（１１−０９），小児科（１１−１０），小児外科（１１−１１），外科（１１−１２），整形外科（１１−１３），形成外科（１１−１４），美容外科（１１−１５），脳神経外科（１１−１６），呼吸器外科（１１−１７），心臓血管外科（１１−１８），皮膚科泌尿器科（１１−１９），性病科（１１−２０），肛門科（１１−２１），産婦人科（１１−２２），眼科（１１−２３），耳鼻咽喉科（１１−２４），気管食道科（１１−２５），リハビリテーション科（１１−２６），放射線科（１１−２７）をサイト表示してなる請求項２記載の医療福祉情報サービスシステム。
【請求項４】
内科（１１−０１）等の各下位サイトに病院，医院，クリニックの名称，所在地，電話番号を記載して成る請求項３記載の医療福祉情報サービスシステム。
【請求項５】
専門領域（１２）の下位サイトに専門得意分野を５０音順に並べたアイウエオ順専門得意分野，医療機関の名称，所在地，電話番号を表示してなる請求項２記載の医療福祉情報サービスシステム。
【請求項６】
健康診断人間ドッグを実施している医療機関（１３）の下位サイトに病院や健康センターの名称，所在地，電話番号を表示してなる請求項２記載の医療福祉情報サービスシステム。
【請求項７】
癌検診を実施している医療機関（１４）の下位サイトに全般，胃癌，子宮癌等の部位と，医療機関の名称と，所在地と，電話番号を表示してなる請求項２記載の医療福祉情報サービスシステム。
【請求項８】
歯科（２０）のサイトに一般歯科（２１），矯正歯科（２２），小児歯科（２３），歯科口腔外科（２４），専門領域得意分野（２５）をサイト表示してなる請求項１記載の医療福祉情報サービスシステム。
【請求項９】
一般歯科（２１）の各下位サイトに歯科医院、デンタルクリニック歯科クリニック等の名称，所在地，電話番号を表示してなる請求項８記載の医療福祉情報サービスシステム。
【請求項１０】
在宅医療訪問看護（３０）のサイトに往診訪問診療（３１），在宅末期医病（３２），訪問看護（３３），訪問リハビリ（３４），訪問薬剤指導（３５），訪問栄養指導（３６）をサイト表示してなる請求項１記載の医療福祉情報サービスシステム。
【請求項１１】
往診訪問診療（３１）等の各下位サイトに病院，クリニック，医院等の名称，所在地，電話番号を表示してなる請求項１０記載の医療福祉情報サービスシステム。
【請求項１２】
デイケア（４０）の下位サイトに精神科デイケア（４１），痴呆患者デイケア（４２），通所リハビリデイケア（４３），通所介護デイサービス（４４）をサイト表示してなる請求項１記載の医療福祉情報サービスシステム。
【請求項１３】
痴呆患者デイケア（４２）等の各下位サイトに病院，医院，クリニック等の名称，所在地，電話番号を表示してなる請求項１２記載の医療福祉情報サービスシステム。
【請求項１４】
介護保険サービス（５０）の下位サイトに，居宅介護支援事業者（５１），在宅サービス（５２），福祉用具の貸与（５３），居宅療養管理指導（５４），特定施設入所者生活介護（５５），痴呆対応型共同生活介護（５６），施設サービス（５７），福祉用具の販売（５８），住宅改修（５９）をサイト表示してなる請求項１記載の医療福祉情報サービスシステム。
【請求項１５】
居宅介護支援事業者（５１）の下位サイトに居宅介護支援事業者の事業者名，所在地、電話番号を表示してなる請求項１４記載の医療福祉情報サービスシステム。
【請求項１６】
在宅サービス（５２）の下位サイトに訪問介護（５２−１），訪問入浴介護（５２−２），訪問看護（５２−３），訪問リハビリテーション（５２−４），通所介護（５２−５），通所リハビリテーション（５２−６），短期入所生活介護（５２−７），短期入所療養介護（５２−８）をサイト表示してなる請求項１４記載の医療福祉情報サービスシステム。
【請求項１７】
施設サービス（５７）の下位サイトに介護老人福祉施設（５７−１），介護老人保健施設（５７−２），介護療養型医療施設（５７−３）をサイト表示してなる請求項１４記載の医療福祉情報サービスシステム。
【請求項１８】
薬局（６０）サイトの下位サイトに保険調剤薬局（６１），在宅支援薬局（６２），漢方薬局（６３），栄養補助食品（６４）をサイト表示してなる請求項１記載の医療福祉情報サービスシステム。
【請求項１９】
保険調剤薬局（６１）の下位サイトに保険調剤薬局の名称，所在地，電話番号を表示してなる請求項１８記載の医療福祉情報サービスシステム。
【請求項２０】
障害者通所作業所（７０）の下位サイトに精神障害者通所作業所（７１），知的障害者通所作業所（７２），身体障害者通所作業所（７３），その他の通所作業所（７４）をサイト表示してなる請求項１記載の医療福祉情報サービスシステム。
【請求項２１】
精神障害者通所作業所（７１）の下位サイトに精神障害者通所作業所の作業所名，所在地、電話番号を表示してなる請求項２０記載の医療福祉情報サービスシステム。
【請求項２２】
鍼灸整体接骨院（９０）の下位サイトに鍼（９１），灸（９２），整体（９３），接骨院（９４）をサイト表示してなる請求項１記載の医療福祉情報サービスシステム。
【発明の詳細な説明】
【０００１】
【発明の属する技術分野】この発明は，医療や福祉の情報を提供するサービスシステムに関するものである。
【０００２】
【従来の技術】新聞雑誌に情報の溢れる大都市はともかく，その他の地方で医療や福祉施設を捜すのには，クチコミや職業別電話帳或はホームページ等を利用していた。
【０００３】
【発明が解決しようとする課題】クチコミやホームページは限度があり，職業別電話帳は年に一度しか発行されないので，情報遅れがある。この発明は医療や福祉に関し充分な情報を迅速に得ることが出来るようにしようとするものである。
【０００４】
【課題を解決するための手段】図面を参考にして説明する。請求項１の発明に係る医療福祉情報サービスはスタートページで医院や病院１０，歯科医院２０，在宅医療訪問看護３０，デイケア４０，介護保険サービス５０，薬局６０，障害者通所作業所７０，心理カウンセリング８０，鍼灸整体接骨院９０，の各サイトを表示するプログラムを備えた通信網４用データベース３と，該データベース３のプログラムを変更する入力装置１を備えたメインコンピュータ２と，通信網４との間でデータの遺り取りをする多数の端末コンピュータ５から成るものである。
【０００５】
請求項２の発明に係る医療福祉情報サービスシステムは，請求項１の発明において，医院や病院１０の下位サイトに診療科１１，専門領域１２、健康診断人間ドッグを実施している医療機関１３，癌検診を実施している医療機関１４をサイト表示してなるものである。
【０００６】
請求項３の発明に係る医療福祉情報サービスシステムは，請求項２の発明において，診療科１１の下位サイトに，内科１１−０１，心療内科１１−０２，精神科１１−０３，神経科神経内科１１−０４，呼吸器科１１−０５，消化器科胃腸科１１−０６，循環器科１１−０７，アレルギー科１１−０８，リウマチ科１１−０９，小児科１１−１０，小児外科１１−１１，外科１１−１２，整形外科１１−１３，形成外科１１−１４，美容外科１１−１５，脳神経外科１１−１６，呼吸器外科１１−１７，心臓血管外科１１−１８，皮膚科泌尿器科１１−１９，性病科１１−２０，肛門科１１−２１，産婦人科１１−２２，眼科１１−２３，耳鼻咽喉科１１−２４，気管食道科１１−２５，リハビリテーション科１１−２６，放射線科１１−２７をサイト表示してなるものである。
【０００７】
請求項４の発明に係る医療福祉情報サービスシステムは，請求項３の発明において，内科１１−０１等の各下位サイトに病院，医院，クリニックの名称，所在地，電話番号を記載してなるものである。
【０００８】
請求項５の発明に係る医療福祉情報サービスシステムは，請求項２の発明において専門領域１２の下位サイトに専門得意分野を５０音順に並べたアイウエオ順専門・得意分野，医療機関の名称，所在地，電話番号を表示してなるものである。
【０００９】
請求項６の発明に係る医療福祉情報サービスシステムは，請求項２の発明において，健康診断人間ドッグを実施している医療機関１３の下位サイトに病院や健康センターの名称，所在地，電話番号を表示してなるものである。
【００１０】
請求項７の発明に係る医療福祉情報サービスシステムは，請求項２の発明において，　癌検診を実施している医療機関１４の下位サイトに全般，胃癌，子宮癌等の部位と，医療機関の名称と，所在地と，電話番号を表示してなるものである。
【００１１】
請求項８の発明に係る医療福祉情報サービスシステムは，請求項１の発明において，歯科２０のサイトに一般歯科２１，矯正歯科２２，小児歯科２３，歯科口腔外科２４，専門領域得意分野２５をサイト表示してなるものである。
【００１２】
請求項９の発明に係る医療福祉情報サービスシステムは，請求項８の発明において，一般歯科２１の各下位サイトに歯科医院、デンタルクリニック歯科クリニック等の名称，所在地，電話番号を表示してなるものである。
【００１３】
請求項１０の発明に係る医療福祉情報サービスシステムは，請求項１の発明において，在宅医療訪問看護３０のサイトに往診訪問診療３１，在宅末期医病３２，訪問看護３３，訪問リハビリ３４，訪問薬剤指導３５，訪問栄養指導３６をサイト表示してなるものである。
【００１４】
請求項１１の発明に係る医療福祉情報サービスシステムは，請求項１０の発明において，往診訪問診療３１等の各下位サイトに病院，クリニック，医院等の名称，所在地，電話番号を表示してなるものである。
【００１５】
請求項１２の発明に係る医療福祉情報サービスシステムは，請求項１の発明において，　デイケア４０の下位サイトに精神科デイケア４１，痴呆患者デイケア４２，通所リハビリデイケア４３，通所介護デイサービス４４をサイト表示してなるものである。
【００１６】
請求項１３の発明に係る医療福祉情報サービスシステムは，請求項１２の発明において，痴呆患者デイケア４２等の各下位サイトに病院，医院，クリニック等の名称，所在地，電話番号を表示してなるものである。
【００１７】
請求項１４の発明に係る医療福祉情報サービスシステムは，請求項１の発明において，介護保険サービス５０の下位サイトに，居宅介護支援事業者５１，在宅サービス５２，福祉用具の貸与５３，居宅療養管理指導５４，特定施設入所者生活介護５５，痴呆対応型共同生活介護５６，施設サービス５７，福祉用具の販売５８，住宅改修５９をサイト表示してなるものである。
【００１８】
請求項１５の発明に係る医療福祉情報サービスシステムは，請求項１４の発明において，　居宅介護支援事業者５１の下位サイトに居宅介護支援事業者の事業者名，所在地、電話番号を表示してなるものである。
【００１９】
請求項１６の発明に係る医療福祉情報サービスシステムは，請求項１４の発明において，　在宅サービス５２の下位サイトに訪問介護５２−１，訪問入浴介護５２−２，訪問看護５２−３，訪問リハビリテーション５２−４，通所介護５２−５，通所リハビリテーション５２−６，短期入所生活介護５２−７，短期入所療養介護５２−８をサイト表示してなるものである。
【００２０】
請求項１７の発明に係る医療福祉情報サービスシステムは，請求項１４の発明において，施設サービス５７の下位サイトに介護老人福祉施設５７−１，介護老人保健施設５７−２，介護療養型医療施設５７−３をサイト表示してなるものである。
【００２１】
請求項１８の発明に係る医療福祉情報サービスシステムは，請求項１の発明において，薬局６０サイトの下位サイトに保険調剤薬局６１，在宅支援薬局６２，漢方薬局６３，栄養補助食品６４をサイト表示してなるものである。
【００２２】
請求項１９の発明に係る医療福祉情報サービスシステムは，請求項１８の発明において，保険調剤薬局６１の下位サイトに保険調剤薬局の名称，所在地，電話番号を表示してなるものである。
【００２３】
請求項２０の発明に係る医療福祉情報サービスシステムは，請求項１の発明において，障害者通所作業所７０の下位サイトに精神障害者通所作業所７１，知的障害者通所作業所７２，身体障害者通所作業所７３，その他の通所作業所７４をサイト表示してなるものである。
【００２４】
請求項２１の発明に係る医療福祉情報サービスシステムは，請求項２０の発明において，精神障害者通所作業所７１の下位サイトに精神障害者通所作業所の作業所名，所在地、電話番号を表示してなるものである。
【００２５】
請求項２２記載の医療福祉情報サービスシステムは，請求項２１の発明において鍼灸整体接骨院の下位サイトに鍼９１，灸９２，整体９３，接骨院９４をサイト表示してなるものである。
【００２６】
【実施例】図面を参考にして説明する。第１の発明に係る医療福祉情報サービスはスタートページで医院や病院１０，歯科医院２０，在宅医療訪問看護３０，デイケア４０，介護保険サービス５０，薬局６０，障害者通所作業所７０，心理カウンセリング８０，鍼灸整体接骨院９０，の各サイトを表示するプログラムを備えた通信網４用データベース３と，該データベース３のプログラムを変更する入力装置１を備えたメインコンピュータ２と，通信網４との間でデータの遺り取りをする多数の端末コンピュータ５から成るものである。
【００２７】
第２の発明に係る医療福祉情報サービスシステムは，第１の発明において，医院や病院１０の下位サイトに診療科１１，専門領域１２、健康診断人間ドッグを実施している医療機関１３，癌検診を実施している医療機関１４をサイト表示してなるものである。
【００２８】
第３の発明に係る医療福祉情報サービスシステムは，第２の発明において，診療科１１の下位サイトに，内科１１−０１，心療内科１１−０２，精神科１１−０３，神経科神経内科１１−０４，呼吸器科１１−０５，消化器科胃腸科１１−０６，循環器科１１−０７，アレルギー科１１−０８，リウマチ科１１−０９，小児科１１−１０，小児外科１１−１１，外科１１−１２，整形外科１１−１３，形成外科１１−１４，美容外科１１−１５，脳神経外科１１−１６，呼吸器外科１１−１７，心臓血管外科１１−１８，皮膚科泌尿器科１１−１９，性病科１１−２０，肛門科１１−２１，産婦人科１１−２２，眼科１１−２３，耳鼻咽喉科１１−２４，気管食道科１１−２５，目リハビリテーション科１１−２６，放射線科１１−２７をサイト表示してなるものである。
【００２９】
第４の発明に係る医療福祉情報サービスシステムは，第３の発明において，内科１１−０１等の各下位サイトに病院，医院，クリニックの名称，所在地，電話番号を記載してなるものである。
【００３０】
第５の発明に係る医療福祉情報サービスシステムは，第２の発明において，専門領域１２の下位サイトに専門得意分野を５０音順に並べたアイウエオ順専門得意分野，医療機関の名称，所在地，電話番号を表示してなるものである。
【００３１】
第６の発明に係る医療福祉情報サービスシステムは，第２の発明において，健康診断人間ドッグを実施している医療機関１３の下位サイトに病院や健康センターの名称，所在地，電話番号を表示してなるものである。
【００３２】
第７の発明に係る医療福祉情報サービスシステムは，第２の発明において，　癌検診を実施している医療機関１４の下位サイトに全般，胃癌，子宮癌等の部位と，医療機関の名称と，所在地と，電話番号を表示してなるものである。
【００３３】
第８の発明に係る医療福祉情報サービスシステムは，第１の発明において，歯科２０のサイトに一般歯科２１，矯正歯科２２，小児歯科２３，歯科口腔外科２４，専門領域得意分野２５をサイト表示してなるものである。
【００３４】
第９の発明に係る医療福祉情報サービスシステムは，第８の発明において，一般歯科２１の各下位サイトに歯科医院、デンタルクリニック歯科クリニック等の名称，所在地，電話番号を表示してなるものである。
【００３５】
第１０の発明に係る医療福祉情報サービスシステムは，第１の発明において，在宅医療訪問看護３０のサイトに往診訪問診療３１，在宅末期医病３２，訪問看護３３，訪問リハビリ３４，訪問薬剤指導３５，訪問栄養指導３６をサイト表示してなるものである。
【００３６】
第１１の発明に係る医療福祉情報サービスシステムは，第１０の発明において，往診訪問診療３１等の各下位サイトに病院，クリニック，医院等の名称，所在地，電話番号を表示してなるものである。
【００３７】
第１２の発明に係る医療福祉情報サービスシステムは，第１の発明において，デイケア４０の下位サイトに精神科デイケア４１，痴呆患者デイケア４２，通所リハビリデイケア４３，通所介護デイサービス４４をサイト表示してなるものである。
【００３８】
第１３の発明に係る医療福祉情報サービスシステムは，第１２の発明において，痴呆患者デイケア４２等の各下位サイトに病院，医院，クリニック等の名称，所在地，電話番号を表示してなるものである。
【００３９】
第１４の発明に係る医療福祉情報サービスシステムは，第１の発明において，介護保険サービス５０の下位サイトに，居宅介護支援事業者５１，在宅サービス５２，福祉用具の貸与５３，居宅療養管理指導５４，特定施設入所者生活介護５５，痴呆対応型共同生活介護５６，施設サービス５７，福祉用具の販売５８，住宅改修５９をサイト表示してなるものである。
【００４０】
この場合，このような説明をつけ加えて置くのが好ましい。居宅介護支援事業者５１には介護支援専門員（ケアマネージャー）が介護サービス計画の作成などのお手伝いをしますという説明を加えておく。福祉用具の貸与５３には，特殊寝台，車椅子，歩行器などの貸し出しをしますという説明を加えておく。居宅療養管理指導５４には，医師，歯科医師，薬剤師が訪問し，医学的な管理と指導を行いますという説明を加えておく。特定施設入所者生活介護５５には，有料老人ホームなどに入所中の方への介護サービスですという説明を加えておく。痴呆対応型共同生活介護５６には，痴呆の方が共同生活し，日常生活の支援や機能訓練が受けられますという説明を加えておく。
【００４１】
第１５の発明に係る医療福祉情報サービスシステムは，第１４の発明において，　居宅介護支援事業者５１の下位サイトに居宅介護支援事業者の事業者名，所在地、電話番号を表示してなるものである。
【００４２】
第１６の発明に係る医療福祉情報サービスシステムは，第１４の発明において，在宅サービス５２の下位サイトに訪問介護５２−１，訪問入浴介護５２−２，訪問看護５２−３，訪問リハビリテーション５２−４，通所介護５２−５，通所リハビリテーション５２−６，短期入所生活介護５２−７，短期入所療養介護５２−８をサイト表示してなるものである。
【００４３】
この場合，このような説明をつけ加えて置くのが好ましい。訪問介護（ホームヘルプ）５２−１には，ホームヘルパーが日常生活のお手伝いをしますという説明を加えておく。訪問入浴介護５２−２には，移動入浴車などで入浴の介助を行いますという説明を加えておく。訪問看護５２−３には，看護師・保健師が訪問し，病状を観察したり処置を行いますという説明を加えておく。訪問リハビリテーション５２−４には，日常生活の自立を助けるためにリハビリテーションを行いますという説明を加えておく。通所介護（デイサービス）５２−５には，通所で食事，入浴，日常動作訓練、レクレーションなどを受けますという説明を加えておく。通所リハビリテーション（デイケア）５２−６には，通所で理学療法士や作業療法士によるリハビリテーションを受けますという説明を加えておく。短期入所生活介護５２−７には，短期間の入所で生活上の介護を受けますという説明を加えておく。短期入所療養介護（ショートステイ）５２−８には，短期間の入所で医療上のケアと介護を受けますという説明を加えておく。
【００４４】
第１７の発明に係る医療福祉情報サービスシステムは，第１４の発明において，施設サービス５７の下位サイトに介護老人福祉施設５７−１，介護老人保健施設５７−２，介護療養型医療施設５７−３をサイト表示してなるものである。
【００４５】
第１８の発明に係る医療福祉情報サービスシステムは，１第の発明において，薬局６０サイトの下位サイトに保険調剤薬局６１，在宅支援薬局６２，漢方薬局６３，栄養補助食品６４をサイト表示してなるものである。
【００４６】
第１９の発明に係る医療福祉情報サービスシステムは，第１８の発明において，保険調剤薬局６１の下位サイトに保険調剤薬局の名称，所在地，電話番号を表示してなるものである。
【００４７】
第２０の発明に係る医療福祉情報サービスシステムは，第１の発明において，障害者通所作業所７０の下位サイトに精神障害者通所作業所７１，知的障害者通所作業所７２，身体障害者通所作業所７３，その他の通所作業所７４をサイト表示してなるものである。
【００４８】
第２１の発明に係る医療福祉情報サービスシステムは，第２０の発明において，精神障害者通所作業所７１の下位サイトに精神障害者通所作業所の作業所名，所在地、電話番号を表示してなるものである。
【００４９】
第２２の発明に係る医療福祉情報サービスシステムは，第２１の発明において，鍼灸整体接骨院の下位サイトに鍼９１，灸９２，整体９３，接骨院９４をサイト表示してなるものである。
【００５０】
上記各発明における最終サイトは，いずれも名称，所在地，電話番号とするものである。
【００５１】
次に作用について，説明する。端末コンピュータ９５を操作し，各項目をそれぞれクリックしてゆくことにより，自分の希望する機関を早急に探し当てることが出来る。
【００５２】
【効果】この発明によれば，医療や福祉に関する充分な最新情報を迅速に得ることが出来，自分の希望する医療機関や福祉機関を容易に探し当てることが出来る。
【図面の簡単な説明】
【図１】本発明の全体図である。
【図２】本発明の一部の構成図である。
【図３】第４の発明における一表示例図である。
【図４】第５の発明における一表示例図である。
【図５】第６の発明における一表示例図である。
【図６】第７の発明における一表示例図である。
【図７】第９の発明における一表示例図である。
【図８】第１１の発明における一表示例図である。
【図９】第１３の発明における一表示例図である。
【図１０】第１５の発明における一表示例図である。
【図１１】第１９の発明における一表示例図である。
【図１２】第２１の発明における一表示例図である。
【符号の説明】
１　入力装置
２　メインコンピュータ
３　データベース
４　通信網
５　端末コンピュータ
【図１】
2004127152.tif 000003
【図２】
2004127152.tif 000004
【図３】
2004127152.tif 000005
【図４】
2004127152.tif 000006
【図５】
2004127152.tif 000007
【図６】
2004127152.tif 000008
【図７】
2004127152.tif 000009
【図８】
2004127152.tif 000010
【図９】
2004127152.tif 000011
【図１０】
2004127152.tif 000012
【図１１】
2004127152.tif 000013
【図１２】
2004127152.tif 000014
【手続補正書】
【提出日】平成14年10月9日(2002.10.9)
【手続補正２】
【補正対象書類名】図面
【補正対象項目名】図１
【補正方法】変更
【補正の内容】
【図１】
2004127152.tif 000015
【手続補正３】
【補正対象書類名】図面
【補正対象項目名】図２
【補正方法】変更
【補正の内容】
【図２】
2004127152.tif 000016